(57)【要約】【課題】額装する絵画、写真等の魅力を低下させること無く、また、透明体のスペースを有効に活用可能なフレームを提供すること。【解決手段】写真、絵画等を挟み込んで支持するためのフレームであって、透明体（２）と、該透明体（２）に重ね合わされる、前記透明体（２）とともに絵画、写真等を挟持するための裏板（３）と、前記透明体（２）及び裏板（３）を重ね合わされた状態で連結するための、透明体（２）と裏板（３）とを周縁部において挟持する挟持手段（４）、透明体（２）と裏板（３）におけるそれぞれの対向面に装着したホック（５）、又は、透明体（２）と裏板（３）におけるそれぞれの対向面に装着した磁石等の、連結手段（４）を備えたことを特徴としており、これにより、従来のフレームにおいて必須の構成要素であった枠体を不要とし、額装する絵画等に併せた枠体を選ぶ手間を省いた。【選択図】図１
0003112498.tif 000002
【実用新案登録請求の範囲】
【請求項１】
写真、絵画等を挟み込んで支持するためのフレームであって、
透明体（２）と、
該透明体（２）に重ね合わされる、前記透明体（２）とともに絵画、写真等を挟持するための裏板（３）と、
前記透明体（２）及び裏板（３）を重ね合わされた状態で連結するための連結手段と、を備えたことを特徴とするフレーム。
【請求項２】
前記連結手段は、前記透明体（２）と透明体（２）に重ね合わされた裏板（３）とを、その周縁部において、重ね合わせた状態で挟持可能な挟持部材（４）であることを特徴とする請求項１に記載のフレーム。
【請求項３】
前記連結手段は、前記透明体（２）及び裏板（３）のそれぞれにおける対向面に備えた、互いに連結可能なホック部材（６）であることを特徴とする請求項１に記載のフレーム。
【請求項４】
前記連結手段は、前記透明体（２）における前記裏板（３）との対向面に備えた磁石又は磁性体と、前記裏板（３）における前記透明体（２）との対向面に備えた磁性体又は磁石により構成されることを特徴とする請求項１に記載のフレーム。
【請求項５】
前記裏板（３）を透明にしたことを特徴とする請求項１乃至請求項４に記載のフレーム。
【考案の詳細な説明】
【技術分野】
【０００１】
本考案はフレームに係り、より詳しくは、透明体とこの透明体に重ね合わされる裏板とを用いるフレームにおいて、枠体を用いること無く、透明体と裏板とを重ね合わせた状態で維持可能としたことを特徴とするフレームに関する。
【背景技術】
【０００２】
従来から、写真、絵画等を壁等に飾る場合にはフレームが用いられている。即ち、このフレームは、長尺状のフレーム材を多角形状に枠組みすることにより構成された枠体と、この多角形状に枠組みされた枠体内に支持されるとともに、写真、絵画等を挟み込んで支持することが可能な透明体および裏板を備えており、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
ここで、従来から一般的に用いられているフレームについて図面を参照して説明すると、図１０は従来から用いられているフレームの縦断側面を示す図であり、また、図１１は従来のフレームの背面図であり、図において３１が従来のフレームである。
【０００４】
そして、この従来から用いられているフレーム３１では、長尺状のフレーム材を、多角形状、より具体的には四角形状に枠組みした枠体３２を備えている。
【０００５】
また、この枠体３２は、裏面における内周側全域に載置棚部３２０１が形成されているとともに、この載置棚部３２０１に周縁部が載置される配置において、前記枠体３２内には、透明体３３が係止されている。
【０００６】
更に、この透明体３３の裏面には、透明体３３とほぼ同一の形状寸法を有する裏板３４が重ね合わされており、この裏板３４は、その裏面において、前記枠体３２の裏面に回動自在に備えた、「トンボ」と呼ばれる係止部材３５によって支持されており、これにより、前記枠体３２内には透明体３３及び裏板３４が、重ね合わされた状態で係止されている。
【０００７】
そして、使用に際しては、透明体３３及び裏板３４によって絵画、写真等３５を挟み込んだ状態において、透明体３３、および裏板３４を前記枠体３２内に係止し、この状態で、フレーム３１を壁等に引っ掛け、これにより写真、絵画等を所望する箇所に装着して飾ることを可能としている。
【考案の開示】
【考案が解決しようとする課題】
【０００８】
ところで、このように構成されるフレームに、例えば絵画、写真等を飾る場合には、絵画、写真等のイメージを損なわないようにする必要があるが、従来のフレームでは、前述したように、枠体に透明体及び裏板を係止する構成であったために、枠体の色、模様等によっては、透明体と裏板で挟持した絵画、写真等のイメージが損なわれてしまうことがあり、このことは、枠体の色や模様と絵画、写真等とが不釣り合いな場合等に起こり得ることである。
【０００９】
一方、このような事態を防止するためには絵画、写真等と釣り合う色や模様の枠体を選ぶことが望ましいが、このような作業は煩わしさに耐えないとともに、絵画、写真等を選んだ後にフレームを選ぶ必要があるために、一度使用したフレームに絵画、写真等を入れ替えることが事実上困難となってしまう。
【００１０】
また、従来のフレームでは、透明体の周縁部を枠体の裏面に形成した載置棚部に係止する構成としていたために、透明体の周縁部全域が枠体に隠れてしまい、透明体の全体を有効に使用することができないという問題点も指摘されている。
【００１１】
そこで、本考案は、額装する絵画、写真等の魅力を低下させること無く、また、透明体のスペースを有効に活用可能なフレームを提供することを課題としている。
【課題を解決するための手段】
【００１２】
本考案のフレームは、写真、絵画等を挟み込んで支持するためのフレームであって、透明体と、該透明体に重ね合わされる、前記透明体とともに絵画、写真等を挟持するための裏板と、前記透明体及び裏板とを、重ね合わされた状態で連結するための連結手段と、を備えたことを特徴としている。
【考案の効果】
【００１３】
本考案のフレームでは、連結手段を用いて透明体と裏板とを連結する構成としており、これにより従来のフレームで必須とされた枠体を無くすることに成功した。
【００１４】
そのために、額装する絵画、写真等に釣り合う枠体を備えたフレームを選ぶ必要が無くなるとともに、透明体の全体を有効に活用することが可能となった。
【考案を実施するための最良の形態】
【００１５】
本考案のフレームでは、透明体と、この透明体に重ね合わされる裏板とを備えており、透明体及び裏板により、絵画、写真等を挟持可能としている。
【００１６】
そして、本考案のフレームでは、更に、透明体と裏板を、重ね合わされた状態で連結するための、連結手段を備えている。
【００１７】
ここで、前記連結手段としては、重ね合わされた状態における透明体及び裏板を、その周縁部において挟持可能な挟持部材を用いるとよく、これにより、容易に、透明体と裏板を重ね合わされた状態で連結することができる。
【００１８】
また、前記連結手段として、透明体及び裏板のそれぞれにおける対向面に備えた、互いに連結可能なホック部材としてもよく、これによっても、容易に、透明体と裏板を重ね合わされた状態で連結することができる。
【００１９】
更に、前記連結手段として、前記透明体における裏板との対向面に備えた磁石又は磁性体と、前記裏板における前記透明体との対向面に備えた磁性体又は磁石により構成してもよく、これによっても、容易に、透明体と裏板を重ね合わされた状態で連結することができる。
【００２０】
また、これらの構成において、前記裏板を透明にしてもよく、これにより、例えば２枚の絵画、写真等を背中合わせにして透明体と裏板間に挟持することで、フレームの両面を観賞用空間として用いることも可能となる。
【実施例１】
【００２１】
本考案のフレームの実施例について図面を参照して説明すると、図１は、本実施例のフレームを分解した状態を示す分解斜視図であり、図において１が本実施例のフレームである。
【００２２】
そして、本実施例のフレーム１では、略長方形とした透明体２を備えており、更に、この透明体２に重ね合わされる、前記透明体２とほぼ同一の形状寸法とした裏板３を備えており、この透明体２と裏板３とによってフレーム本体５を構成し、前記透明体２と裏板３間に絵画、写真等を挟持することにより、フレーム本体５に絵画、写真等を係止可能としている。
【００２３】
なお、従来から使用されているフレームでは裏板は不透明な薄板等の素材を使用しており、本実施例においても、前記裏板３としては、従来のフレームと同様に不透明なものを使用してもよいが、その他、透明素材により形成した裏板を使用し、これにより、フレーム本体の表裏面から絵画、写真等を鑑賞可能としてもよい。即ち、裏板３を透明なものとした場合には、２枚の絵画、写真等を背中合わせにして透明体２と裏板３間に挟持することにより、フレーム本体５の表裏いずれの面においても絵画、写真等を鑑賞することが可能となる。
【００２４】
次に、図において４は連結手段であり、この連結手段４は、透明体２と裏板３とを、重ね合わせた状態で連結するために用いられる。
【００２５】
即ち、本実施例において前記連結手段４は、略四角形状の一対の挟持片４０１と、この一対の挟持片４０１を連通した連通片４０２を備えて、側面形状を略コ字状とした挟持手段としており、挟持片４０１間にフレーム本体５の周縁部が挿入される形態で連結手段４をフレーム本体５の周縁部にはめ込み、これにより、透明体２と裏板３とを重ね合わせた状態で維持可能としている。
【００２６】
そして、本実施例においては、前記フレーム本体５の周縁部における上部、下部、及び左右に連結手段４を装着している。この状態を示した正面図が図２であり、また、側断面図が図３であり、図において８は、透明体２及び裏板３で挟持した絵画、写真等である。
【００２７】
但し、挟持手段としての連結手段４の装着箇所は必ずしもフレーム本体５の周縁部における上部、下部、及び左右には限定されず、例えば、図５に示されるような、正面視野を略三角形状とした一対の挟持片４０１とこの挟持片４０１の２辺を連通した２枚の連通片４０２とにより構成される連結手段４を用いて、図４に示されるように、この連結手段４をフレーム本体５の四隅に装着してもよい。
【００２８】
また、連結手段４としては必ずしも前述のような挟持手段を用いる必要はなく、例えばホックを用いてもよい。即ち、図６は、連結手段の他の形態６を説明するための、フレーム１の分解側面図であり、また、図７はこの連結手段６を用いたフレーム１の正面図であり、図６及び図７においては、前記透明体２における、裏板３との対向面に雌側ホック６０１を装着し、一方、裏板３において、裏板３を透明体２に重ね合わせた際に前記雌側ホック６０１に対向する箇所には、前記雌側ホック６０１に嵌入可能な雄側ホック６０２を装着し、即ち、フレーム本体５における内面側にホック６を装着し、雌側ホック６０１と雄側ホック６０２とを嵌合させることで、透明体２と裏板３とを重ね合わせた状態で連結可能としている。そして、ホック６は、図７にも示されるように、フレーム本体５の内面側における四隅近傍に装着している。なお、ホック６を連結手段として用いる場合には、必ずしも、透明体２に雌側ホック６０１を装着するとともに裏板３に雄側ホック６０２をする必要は無く、透明体２に雄側ホック６０２を装着して裏板３に雌側ホック６０１を装着してもよい。また、ホック６は、必ずしもフレーム本体５の内面側における四隅近傍に装着する必要もない。
【００２９】
次に、図８は、連結手段の他の形態７を説明するための、フレーム１の分解側面図であり、また、図９はこの連結手段７を用いたフレーム１の正面図であり、図８及び図９においては、前記透明体２における、裏板３との対向面に磁石又は磁性体７０１を装着するとともに、一方、裏板３において、裏板３を透明体２に重ね合わせた際に前記磁石又は磁性体７０１に対向する箇所には、透明体２に備えた磁石又は磁性体に吸着可能な磁性体又は磁石７０２を装着しており、これにより、磁力によって、透明体２と裏板３とを重ね合わせた状態で連結可能としている。そして、これらの磁石又は磁性体７は、フレーム本体５の内面側における四隅近傍に装着している。なお、磁石又は磁性体７は、必ずしもフレーム本体５の内面側における四隅近傍に装着する必要はない。
【００３０】
このように、本実施例のフレームでは、透明体２と裏板３とを重ね合わせた状態で維持可能な連結手段を用いることにより、従来のフレームにおいて必須の要素であった枠体を無くしたために、額装する絵画、写真等に釣り合う枠体を備えたフレームを選ぶ必要が無くなるとともに、透明体の全体を有効に活用することが可能となった。
【００３１】
なお、連結手段として挟持手段、ホック、磁石等のいずれを用いた場合でもその装着場所は特に限定されず、透明体と裏板とを重ね合わせた状態で連結可能な箇所であればいずれの箇所でもよい。
【産業上の利用可能性】
【００３２】
本考案のフレームは、連結手段を用いて透明体と裏板とを重ね合わせた状態で連結可能とし、これにより枠体を無くしているために、透明体と裏板とで絵画、写真等を挟持固定可能なフレームの全般に適用可能である。
【図面の簡単な説明】
【００３３】
【図１】本考案のフレームの実施例の分解斜視図である。
【図２】本考案のフレームの実施例の正面図である。
【図３】本考案のフレームの実施例の側断面図である。
【図４】本考案のフレームの実施例における連結手段をフレーム本体の四隅に装着した場合を示した背面図である。
【図５】図４における連結手段を説明するための図である。
【図６】連結手段としてホックを用いた場合の本考案のフレームの側面図である。
【図７】連結手段としてホックを用いた場合の本考案のフレームの正面図である。
【図８】連結手段として磁石または磁性体を用いた場合の本考案のフレームの側面図である。
【図９】連結手段として磁石または磁性体を用いた場合の本考案のフレームの正面図である。
【図１０】従来のフレームを説明するための図である。
【図１１】従来のフレームを説明するための図である。
【符号の説明】
【００３４】
１    フレーム
２    透明体
３    裏板
４    連結手段
４０１    挟持片
４０２    連通片
５    フレーム本体
６    ホック
６０１    雌側ホック部
６０２    雄側ホック部
７    磁石（磁性体）
８    絵画、写真等
【図１】
0003112498.tif 000003
【図２】
0003112498.tif 000004
【図３】
0003112498.tif 000005
【図４】
0003112498.tif 000006
【図５】
0003112498.tif 000007
【図６】
0003112498.tif 000008
【図７】
0003112498.tif 000009
【図８】
0003112498.tif 000010
【図９】
0003112498.tif 000011
【図１０】
0003112498.tif 000012
【図１１】
0003112498.tif 000013